(57)【特許請求の範囲】
【請求項１】
人の音声帯域において音圧レベルが略一定となる第１音声を出力する第１音声出力部と、
該第１音声よりも大きい音圧レベルである第２音声を出力する第２音声出力部と、
音源データに基づいて、該第１音声出力部から出力された該第１音声と該第２音声出力部から出力された該第２音声とを合成した合成音声の音圧レベルが特定の音声帯域において略一定となる音声データを生成する音声データ生成部と、
該音声データ生成部で生成された該音声データを該第１音声出力部および該第２音声出力部から出力させる制御を行なう出力制御部とをそなえることを特徴とする、音声出力装置。
【請求項２】
該出力制御部は、該音声データ生成部で生成された該音声データを該第１音声出力部および該第２音声出力部から同時に出力させる制御を行なうことを特徴とする、請求項１に記載の音声出力装置。
【請求項３】
該特定の音声帯域が、人の音声帯域であることを特徴とする、請求項１または請求項２に記載の音声出力装置。
【請求項４】
該音声データ生成部は、該音源データに対してソフトウェアを用いたフィルタリング処理を行なって該音声データを生成するデジタルフィルタとして構成されることを特徴とする、請求項１〜３のいずれか１項に記載の音声出力装置。
【請求項５】
該第１音声出力部は、レシーバとして構成され、
該第２音声出力部は、スピーカとして構成されることを特徴とする、請求項１〜４のいずれか１項に記載の音声出力装置。
【請求項６】
人の音声帯域において音圧レベルが略一定となる第１音声を出力する第１音声出力部と、該第１音声よりも大きい音圧レベルである第２音声を出力する第２音声出力部とを用いて音声を出力させる音声出力方法であって、
音源データに基づいて、該第１音声出力部から出力された該第１音声と該第２音声出力部から出力された該第２音声とを合成した合成音声の音圧レベルが特定の音声帯域において略一定となる音声データを生成する音声データ生成ステップと、
該音声データ生成ステップにおいて生成された該音声データを該第１音声出力部および該第２音声出力部から出力させる制御を行なう出力制御ステップとをそなえることを特徴とする、音声出力方法。
【請求項７】
人の音声帯域において音圧レベルが略一定となる第１音声を出力する第１音声出力部と、該第１音声よりも大きい音圧レベルである第２音声を出力する第２音声出力部とをそなえた音声出力装置に搭載可能な電子部品であって、
音源データに基づいて、該第１音声出力部から出力された該第１音声と該第２音声出力部から出力された該第２音声とを合成した合成音声の音圧レベルが特定の音声帯域において略一定となる音声データを生成する音声データ生成部と、
該音声データ生成部で生成された該音声データを該第１音声出力部および該第２音声出力部から出力させる制御を行なう出力制御部とをそなえることを特徴とする、電子部品。
【発明の詳細な説明】
【技術分野】
【０００１】
本発明は、音声出力特性が異なる複数のスピーカをそなえた装置において音声を出力させる技術に関する。
【背景技術】
【０００２】
一般に、携帯電話機には、受話専用のスピーカ（以下、レシーバという）と着信メロディ等の音楽再生に用いられるスピーカ（以下、スピーカという）とが搭載されている。
レシーバは、例えば、３００Ｈｚ〜４ｋＨｚの帯域（以下、人の音声帯域という）においてフラット（略一定）な音圧で音声を出力する音声出力特性（周波数特性）をそなえることにより、人の音声を十分に再現することができるようになっている。このレシーバは、物理的サイズの制約により、比較的小さい音圧で音声を出力するようになっている。
【０００３】
一方、スピーカは、人の音声帯域においてフラットな音圧で出力するものではないが、上述したレシーバより大きい音圧で音声を出力する音声出力特性をそなえている。
【特許文献１】特開２００４−３２６８６号公報
【発明の開示】
【発明が解決しようとする課題】
【０００４】
ところで、使用者が携帯電話機をスピーカフォンとして使用する際には、大きい音圧で音声を出力する必要があることから、音声がスピーカのみから出力される場合が多い。
しかしながら、低コストのスピーカは、着信メロディ等の音楽を再生することを優先するために、高音域の音圧を低音域の音圧よりも優先する音声出力特性をそなえているので、人の音声がスピーカのみから出力されると、使用者は、例えば、低音域である男性の音声が聞きづらいと感じる場合がある。
【０００５】
また、人の音声帯域においてフラットであり且つ大きい音圧で音声を出力する音声出力特性をそなえたスピーカは、物理的サイズが大きくなるため、小型化が要求されている携帯電話機に搭載することができないだけでなく、単価が高く製造コストが嵩むことになる。
そのため、小型のスピーカを用いる場合には、例えば、低音域での音圧の不足をカバーするために、スピーカの背後に気室を設ける等の工夫が行なわれている。
【０００６】
しかしながら、携帯電話機に上記のような気室を設けた場合には、携帯電話機の形状を設計する際に形状が制約され、結果的に形状設計の自由度が下がることになり、又、小型化を妨げることになる。更に、携帯電話機の筐体を設計する際の工程数が多くなり、製造コストが嵩むことになる。
また、スピーカは、着信メロディ等の音楽を再生するために用いられることが多く、人の音声帯域に合わせたパラメータ不変のフィルタ（電気回路によるフィルタ等）をスピーカ側に実装することは現実的ではない。
【０００７】
なお、スピーカとレシーバとを用いて音声を出力する手法の一例として、上記特許文献１では、音源で発生した着信音信号を携帯電話の裏面に配置された着信音鳴動用スピーカから着信音として鳴動し、音源で発生した着信音信号の位相を１８０°遅延させ、遅延した着信音から高音域の音を抽出し、抽出した高音域の音を携帯電話の正面に配置され、音声通話を行なうためのレシーバから出力して携帯電話の正面の位置で着信音鳴動用スピーカからの着信音を補正する技術を開示している。
【０００８】
つまり、上記特許文献１の技術は、レシーバから出力される非可聴域（いわゆる超音波）の音を利用して音場調整や聴感補正を行ない、２ｋＨｚ以上の高音域での音圧を上げることにより、いわゆる着信メロディ等の音質を向上させるものであり、例えば１ｋＨｚ以下の低音域での音圧不足をカバーすることはできない。
本発明は、このような課題に鑑み創案されたもので、小型で安価なデバイスから、特定の音声帯域においてフラットであり且つ十分な大きさの音圧で音声を出力させることを目的とする。
【課題を解決するための手段】
【０００９】
上記目的を達成するために、開示の音声出力装置は、人の音声帯域において音圧レベルが略一定となる第１音声を出力する第１音声出力部と、該第１音声よりも大きい音圧レベルである第２音声を出力する第２音声出力部と、音源データに基づいて、該第１音声出力部から出力された該第１音声と該第２音声出力部から出力された該第２音声とを合成した合成音声の音圧が特定の音声帯域において略一定となる音声データを生成する音声データ生成部と、該音声データ生成部で生成された該音声データを該第１音声出力部および該第２音声出力部から出力させる制御を行なう出力制御部とをそなえている。
【００１０】
また、開示の音声出力方法は、人の音声帯域において音圧レベルが略一定となる第１音声を出力する第１音声出力部と、該第１音声よりも大きい音圧レベルである第２音声を出力する第２音声出力部とを用いて音声を出力させる音声出力方法であって、音源データに基づいて、該第１音声出力部から出力された該第１音声と該第２音声出力部から出力された該第２音声とを合成した合成音声の音圧が特定の音声帯域において略一定となる音声データを生成する音声データ生成ステップと、該音声データ生成ステップにおいて生成された該音声データを該第１音声出力部および該第２音声出力部から出力させる制御を行なう出力制御ステップとをそなえている。
【００１１】
さらに、開示の電子部品は、人の音声帯域において音圧レベルが略一定となる第１音声を出力する第１音声出力部と、該第１音声よりも大きい音圧レベルである第２音声を出力する第２音声出力部とをそなえた音声出力装置に搭載可能な電子部品であって、音源データに基づいて、該第１音声出力部から出力された該第１音声と該第２音声出力部から出力された該第２音声とを合成した合成音声の音圧が特定の音声帯域において略一定となる音声データを生成する音声データ生成部と、該音声データ生成部で生成された該音声データを該第１音声出力部および該第２音声出力部から出力させる制御を行なう出力制御部とをそなえている。
【発明の効果】
【００１２】
開示の技術によれば、以下の少なくともいずれか１つの効果ないし利点がある。
（１）特定の音声帯域においてフラットであり且つ十分な大きさの音圧で音声を出力させることができる。
（２）十分な大きさの音圧で周波数依存性のない音声を出力させることができる。
（３）装置の形状が制約されることなく、特定の音声帯域においてフラットであり且つ十分な大きさの音圧で音声を出力させることができる。
【００１３】
（４）装置の形状を設計する際の自由度を下げることがなく、装置の筐体を設計する際の工程数を削減でき、結果的に製造コストを低減することができる。
（５）小型で安価な既存のデバイスから、音声帯域を補完し、且つ十分な大きさの音圧の音声を出力させることができる。
（６）パラメータ不変のフィルタを実装することなく、特定の音声帯域においてフラットであり且つ十分な大きさの音圧で音声を出力させることができる。
【００１４】
（７）装置の使用が複雑な場合であっても、容易に設計可能である。
【発明を実施するための最良の形態】
【００１５】
以下、図面を参照しながら本発明の実施の形態について説明する。
〔１〕本発明の一実施形態の説明
図１は本発明の一実施形態としての携帯端末の構成例を模式的に示す図である。
本実施形態に係る携帯端末（音声出力装置）１０は、電話網（図示省略）から下ってくる受話データ（音源データ）Ｄ１を、例えば、３００Ｈｚ〜４ｋＨｚの帯域（以下、人の音声帯域という）においてフラットであり且つスピーカフォンとして十分な大きさの音圧（音圧レベル）の音声に変換して出力させるものであって、本実施形態においては、携帯電話機により実現されている。
【００１６】
この携帯端末１０は、レシーバ（第１音声出力部）１１，スピーカ（第２音声出力部）１２，Ｄ／Ａ（Digital／Analogue）変換器１３，ＣＰＵ（Central Processing Unit）１５およびメモリ１６をそなえて構成されている。
また、携帯端末１０は、例えば、通話モード，再生モードおよびスピーカフォンモードの３種類の音声出力モードをそなえており、これらの音声出力モードを選択的に設定可能に構成されている。
【００１７】
ここで、通話モードとは、使用者が携帯端末１０のレシーバ１１に耳を近づけた状態で通話を行なうモードであり、本実施形態においては、レシーバ１１のみから音声が出力される。又、再生モードとは、通話モードより大きい音圧で着信メロディや音楽を再生するモードであり、本実施形態においては、スピーカ１２のみから音声が出力される。更に、スピーカフォンモードとは、使用者が携帯端末１０のレシーバ１１から耳を離した状態で通話を行なうモードであり、本実施形態においては、レシーバ１１およびスピーカ１２の双方から音声が出力される。
【００１８】
レシーバ１１は、後述するＤ／Ａ変換器１３から入力された音声アナログ信号Ａ１に基づいて第１音声Ｓ１を出力するものであって、例えば、人の音声帯域においてフラット（略一定）であり、且つ、使用者の耳を近づけた状態で聞こえる程度の比較的小さい音圧で第１音声Ｓ１を出力する音声出力特性（周波数特性）をそなえている。又、レシーバ１１は、携帯端末１０に搭載可能な小型のサイズで構成されている。
【００１９】
スピーカ１２は、後述するＤ／Ａ変換器１３から入力された音声アナログ信号Ａ１に基づいて第２音声Ｓ２を出力するものであって、例えば、第１音声Ｓ１よりも大きく、使用者の耳を所定距離だけ離した状態でも聞こえる程度の音圧であるが、人の音声帯域においてフラットではない第２音声Ｓ２を出力する音声出力特性をそなえている。即ち、スピーカ１２は、レシーバ１１とは異なる音声出力特性をそなえている。又、スピーカ１２は、レシーバ１１と同様、携帯端末１０に搭載可能な小型のサイズで構成されている。
【００２０】
なお、レシーバ１１およびスピーカ１２は既知のデバイスであるので、上記以外の詳細な説明を省略する。
Ｄ／Ａ変換器１３は、デジタル電気信号をアナログ電気信号に変換する電子回路であって、受話データＤ１または後述する音声データＤ２を音声アナログ信号Ａ１に変換してレシーバ１１やスピーカ１２に出力するようになっている。
【００２１】
また、Ｄ／Ａ変換器１３は、携帯端末１０の音声出力モードに応じて音声アナログ信号Ａ１を出力するようになっており、例えば、通話モードに設定されている場合にはレシーバ１１に、再生モードに設定されている場合にはスピーカ１２に、スピーカフォンモードに設定されている場合にはレシーバ１１およびスピーカ１２の双方に、それぞれ音声アナログ信号Ａ１を出力するようになっている。
【００２２】
そして、レシーバ１１は、Ｄ／Ａ変換器１３から入力された音声アナログ信号Ａ１に基づいて第１音声Ｓ１を出力するようになっており、スピーカ１２は、Ｄ／Ａ変換器１３から入力された音声アナログ信号Ａ１に基づいて第２音声Ｓ２を出力するようになっている。
ＣＰＵ１５は、各種の数値計算，情報処理および機器制御等を行なうものであって、デジタルフィルタ（音声データ生成部）１７および出力制御部１８をそなえて構成されている。
【００２３】
デジタルフィルタ１７は、受話データＤ１の音声特性を変化させた音声データＤ２を生成するものであって、本実施形態においては、レシーバ１１から出力された第１音声Ｓ１とスピーカ１２から出力された第２音声Ｓ２とを合成した合成音声Ｓ３の音圧が人の音声帯域においてフラットになる音声データＤ２を生成するようになっている。
このデジタルフィルタ１７は、受話データＤ１に対して音声データ生成プログラム（ソフトウェア）１９を用いたフィルタリング処理を行なって音声データＤ２を生成するようになっている。
【００２４】
音声データ生成プログラム１９は、受話データＤ１に対して周波数毎に所定の倍率を付与するための情報であって、携帯端末１０の種類に応じて製造時に予め作成（設計）され、後述するメモリ１６に格納されている。
この音声データ生成プログラム１９は、例えば、合成音声Ｓ３における周波数毎の音圧に基づいて、プログラムの設計者によって作成されるようになっている。
【００２５】
図２は本発明の一実施形態としての携帯端末におけるデジタルフィルタで生成された音声データの音声出力特性を説明するための図である。なお、図２においては、縦軸が音圧（単位；ｄＢ）を示し、横軸が周波数（単位；Ｈｚ）を示している。
以下、音声データ生成プログラム１９を作成する手順の一例について、図２を参照しながら説明する。
【００２６】
先ず、プログラムの設計者は、フィルタリング処理が行なわれていない受話データＤ１をレシーバ１１およびスピーカ１２の双方から出力させることにより、合成音声Ｓ３を生成させる。
具体的には、プログラムの設計者は、受話データＤ１に基づいて、レシーバ１１から第１音声Ｓ１を出力させるとともに、スピーカ１２から第２音声Ｓ２を出力させる。ここで、第１音声Ｓ１は、図２の符号ｘ−１に示すように、人の音声帯域においてフラットであり且つ比較的小さい音圧であり、第２音声Ｓ２は、図２の符号ｙ−１に示すように、１ｋＨｚ付近の帯域がピークの音圧であり且つ１ｋＨｚ以下の帯域が落ち込んだ音圧である。即ち、スピーカ１２は、人の音声帯域の再現にばらつきがある受話データＤ１に基づく第２音声Ｓ２を出力するのである。
【００２７】
そして、これらの第１音声Ｓ１および第２音声Ｓ２をレシーバ１１およびスピーカ１２から所定距離（例えば、スピーカフォンとしての使用を想定した距離）だけ離れた位置で合成されることにより、図２の符号ｚ−１に示すような、１ｋＨｚ付近の帯域の音圧がピークであり且つ１ｋＨｚ以下の帯域の音圧が落ち込んだ合成音声Ｓ３が生成される。
なお、この合成音声Ｓ３は、人の音声帯域の再現にばらつきがあるため、この合成音声Ｓ３が使用者の耳に到達した場合に、使用者は、１ｋＨｚ以下の低音域である男性の音声が聞きづらいと感じる傾向になる。これは、合成音声Ｓ３の音圧が絶対値としては十分であったとしても、音圧が大きい音声帯域（例えば、１０００Ｈｚおよび８０００Ｈｚ付近）の音声が他の音声帯域の音声より大きい音として認識されるためである。
【００２８】
次に、プログラムの設計者は、このように受話データＤ１に基づき生成された合成音声Ｓ３を参照して、合成音声Ｓ３における各周波数の音圧が任意の音圧でフラットになる倍率を周波数毎に設定することにより、音声データ生成プログラム１９を作成する。
なお、本実施形態においては、音声データ生成プログラム１９は、表１に示すような、各周波数に対応する倍率をフィルタ関数ｇ（ｘ）（ｘは周波数を示す変数；図３参照）で表わすことができる情報をそなえて構成されている。
【００２９】
【表１】
0005286776.tif 000002
これにより、デジタルフィルタ１７は、受話データＤ１に対して、音声データ生成プログラム１９のフィルタ関数ｇ（ｘ）を周波数毎に付与することにより、図２に示すような、第１音声Ｓ１（図２の符号“ｘ−２”参照）と第２音声Ｓ２（図２の符号“ｙ−２”参照）とを合成した合成音声Ｓ３（図２の符号“ｚ−２”参照）の音圧が人の音声帯域においてフラットであり且つスピーカ１２単体から出力される音圧に比べて劣らない十分な大きさになる音声データＤ２を生成するのである。
【００３０】
出力制御部１８は、携帯端末１０の音声出力モードに応じて、受話データＤ１または音声データＤ２をＤ／Ａ変換器１３を介してレシーバ１１やスピーカ１２から出力させる制御を行なうものである。
具体的には、出力制御部１８は、携帯端末１０が通話モードに設定されている場合には、受話データＤ１をＤ／Ａ変換器１３を介してレシーバ１１に出力し、レシーバ１１から第１音声Ｓ１を出力させる制御を行なうようになっている。又、出力制御部１８は、携帯端末１０が再生モードに設定されている場合には、受話データＤ１をＤ／Ａ変換器１３を介してスピーカ１２に出力し、スピーカ１２から第２音声Ｓ２を出力させる制御を行なうようになっている。更に、出力制御部１８は、携帯端末１０がスピーカフォンモードに設定されている場合には、デジタルフィルタ１７で生成された音声データＤ２をＤ／Ａ変換器１３を介してレシーバ１１およびスピーカ１２の双方に出力し、レシーバ１１から第１音声Ｓ１を出力させるとともに、スピーカ１２から第２音声Ｓ２を出力させる制御を行なうようになっている。即ち、出力制御部１８は、携帯端末１０がスピーカフォンモードに設定されている場合には、レシーバ１１およびスピーカ１２の双方から音声を同時に出力（同時鳴動）させる制御を行なうのである。
【００３１】
従って、本実施形態の携帯端末１０は、複数のスピーカ（レシーバ１１およびスピーカ１２）のそれぞれに対してフィルタを設けるのではなく、音声信号Ａ１がレシーバ１１およびスピーカ１２のそれぞれに分岐して出力されるＤ／Ａ変換器１３の前段にデジタルフィルタ１７を実装することにより、合成音声Ｓ３を適切に調整することができるのである。
【００３２】
メモリ１６は、携帯端末１０内でデータやプログラムを記憶する装置であって、上述した音声データ生成プログラム１９が格納されている。
図３は本発明の一実施形態としての携帯端末において受話データを合成音声として出力する手法の一例を説明するための図である。
上述の如く構成された本発明の一実施形態としての携帯端末１０において受話データＤ１を合成音声Ｓ３として出力する手法の一例を、図３を参照しながら説明する。
【００３３】
先ず、音圧ｆ（ｘ）（単位：dBFs）の受話データＤ１がデジタルフィルタ１７に入力されると、デジタルフィルタ１７は、受話データＤ１に対して周波数毎にフィルタ関数ｇ（ｘ）を付与するフィルタリング処理を行なうことにより、音圧ｇ（ｘ）・ｆ（ｘ）（単位：dBFs）の音声データＤ２を生成する（音声データ生成ステップ）。
次に、出力制御部１８は、音声データＤ２をレシーバ１１およびスピーカ１２からそれぞれ第１音声Ｓ１および第２音声Ｓ２として同時に出力させるべく、デジタルフィルタ１７で生成された音声データＤ２をＤ／Ａ変換器１３に出力する（出力制御ステップ）。
【００３４】
Ｄ／Ａ変換器１３は、出力制御部１８から入力された音声データＤ２を、音圧ａ（ｇ（ｘ）・ｆ（ｘ））（単位：dBv）の音声アナログ信号Ａ１に変換し、この音声アナログ信号Ａ１をレシーバ１１およびスピーカ１２の双方に出力する。
レシーバ１１は、Ｄ／Ａ変換器１３から音声アナログ信号Ａ１が入力されると、音声アナログ信号Ａ１にレシーバ１１固有の音声出力特性ｈ１（ｘ）が付与されて、音圧ｈ１（ｘ）・ａ（ｇ（ｘ）・ｆ（ｘ））（単位：dBSpl）の第１音声Ｓ１を出力する。
【００３５】
一方、スピーカ１２は、Ｄ／Ａ変換器１３から音声アナログ信号Ａ１が入力されると、音声アナログ信号Ａ１にスピーカ１２固有の音声出力特性ｈ２（ｘ）が付与されて、音圧ｈ２（ｘ）・ａ（ｇ（ｘ）・ｆ（ｘ））（単位：dBSpl）の第２音声Ｓ２を出力する。
そして、レシーバ１１から使用者（図３の符号“２０”参照）の耳までの距離とスピーカ１２から使用者（図３の符号“２０”参照）の耳までの距離とがほぼ同じである場合には、同時に出力された第１音声Ｓ１および第２音声Ｓ２は、レシーバ１１およびスピーカ１２から離れた位置で合成され、人の音声帯域においてフラットであり且つ十分な音圧ｈ１（ｘ）・ａ（ｇ（ｘ）・ｆ（ｘ））＋ｈ１（ｘ）・ａ（ｇ（ｘ）・ｆ（ｘ））（単位：dBSpl）の合成音声Ｓ３として、使用者（図３の符号“２０”参照）の耳に到達する。
【００３６】
これにより、携帯端末１０に搭載された小型で安価な既存のデバイス（レシーバ１１およびスピーカ１２）から、人の音声帯域においてフラットであり且つ十分な大きさの音圧で音声を出力させるのである。
このように、本発明の一実施形態としての携帯端末１０によれば、受話データに基づいて、レシーバ１１から出力された第１音声Ｓ１とスピーカ１２から出力された第２音声Ｓ２とを合成した合成音声Ｓ３の音圧が人の音声帯域において略一定となる音声データＤ２を生成し、この生成された音声データＤ２をレシーバ１１およびスピーカ１２の双方から同時に出力させる制御を行なうことにより、レシーバ１１およびスピーカ１２から、人の音声帯域においてフラットであり且つ十分な大きさの音圧の音声を出力させることができる。又、１ｋＨｚ以下の低音域での音圧不足をカバーするためにスピーカ１２の背後に気室を設ける必要がなくなるので、装置の形状が制約されることなく、人の音声帯域においてフラットであり且つ十分な大きさの音圧の音声を出力させることができる。
【００３７】
従って、物理的サイズの制約から音声出力特性が良好なスピーカを搭載できない携帯端末１０であっても、人の音声帯域の音声を十分に再現できない音声出力特性をもつ既存のデバイスを複数組み合わせることにより、人の音声帯域において十分な大きさの音圧で周波数依存性のない音声を出力させることができる。又、携帯端末１０の形状を設計する際の自由度を下げることがなく、携帯端末１０の筐体を設計する際の工程数を削減でき、結果的に製造コストを低減することができる。
【００３８】
さらに、携帯端末１０にそなえられた既存のデバイスをレシーバ１１やスピーカ１２として用いることにより、音声出力特性の劣る小型で安価な既存のデバイスから、音声帯域を補完し、且つ十分な大きさの音圧の音声を出力させることができる。
また、受話データＤ１が音声アナログ信号Ａ１に変換される前に、受話データＤ１に対してソフトウェアを用いたフィルタリング処理を行なって音声データＤ２を生成することにより、人の音声帯域に合わせたパラメータ不変のフィルタ（電気回路によるフィルタ等）を実装することなく、人の音声帯域においてフラットであり且つ十分な大きさの音圧の音声を出力させることができる。
【００３９】
さらに、Ｄ／Ａ変換器１３の前段においてソフトウェアを用いたフィルタリング処理を行なうことにより、フィルタ関数ｇ（ｘ）の仕様が複雑な場合であっても、デジタルフィルタ１７を容易に設計することができる。
〔２〕その他
なお、本発明は上述した実施形態に限定されるものではなく、本発明の趣旨を逸脱しない範囲で種々変形して実施することができる。
【００４０】
例えば、上記実施形態では、受話データＤ１を、人の音声帯域においてフラットであり且つ十分な大きさの音圧の音声に変換して出力させる例について説明しているが、それに限定されるものではなく、受話データＤ１を、特定の音声帯域においてフラットであり且つ十分な大きさの音圧の音声に変換して出力させてもよく、これにより、特定の音声帯域においてフラットであり且つ十分な大きさの音圧の音声を出力させることができる。
【００４１】
また、上記実施形態では、レシーバ１１とスピーカ１２とを組み合わせて音声を出力する場合について説明しているが、それに限定されるものではなく、２以上のスピーカを組み合わせて音声を出力してもよく、例えば、２以上のレシーバ１１を組み合わせたり、２以上のスピーカ１２を組み合わせたり、１つのレシーバ１１と２以上のスピーカ１２とを組み合わせたり、２以上のレシーバ１１と１つのスピーカ１２とを組み合わせたり、２以上のレシーバ１１と２以上のスピーカ１２とを組み合わせたりして、上記実施形態と同様の手法を用いることにより上記実施形態と同様の効果を得ることができる。
【００４２】
さらに、上記実施形態では、プログラムの設計者によって音声データ生成プログラム１９を作成する例について説明しているが、それに限定されるものではなく、コンピュータ等により自動で音声データ生成プログラムを作成してもよく、例えば、受話データＤ１に基づき生成された合成音声Ｓ３をコンピュータに取り込み、周波数毎の音圧の中で最も低い音圧に合わせて各周波数の倍率を自動で設定することにより音声データ生成プログラム１９を作成してもよい。
【００４３】
また、上記実施形態では、携帯端末１０として携帯電話機を用いた例について説明しているが、それに限定されるものではなく、異なる音声出力特性をそなえたスピーカが搭載された端末に適用してもよい。
〔３〕付記
〔付記１〕  第１音声を出力する第１音声出力部と、
第２音声を出力し、該第１音声出力部とは異なる音声出力特性である第２音声出力部と、
音源データに基づいて、該第１音声出力部から出力された該第１音声と該第２音声出力部から出力された該第２音声とを合成した合成音声の音圧が特定の音声帯域において略一定となる音声データを生成する音声データ生成部と、
該音声データ生成部で生成された該音声データを該第１音声出力部および該第２音声出力部から出力させる制御を行なう出力制御部とをそなえることを特徴とする、音声出力装置。
【００４４】
〔付記２〕  該出力制御部は、該音声データ生成部で生成された該音声データを該第１音声出力部および該第２音声出力部から同時に出力させる制御を行なうことを特徴とする、付記１に記載の音声出力装置。
〔付記３〕  該特定の音声帯域が、人の音声帯域であることを特徴とする、付記１または付記２に記載の音声出力装置。
【００４５】
〔付記４〕  該音声データ生成部は、該音源データに対してソフトウェアを用いたフィルタリング処理を行なって該音声データを生成するデジタルフィルタとして構成されることを特徴とする、付記１〜３のいずれか１項に記載の音声出力装置。
〔付記５〕  該第１音声出力部は、音圧が略一定となる音声出力特性をそなえたレシーバとして構成され、
該第２音声出力部は、該第１音声よりも大きい音圧である音声出力特性をそなえたスピーカとして構成されることを特徴とする、付記１〜４のいずれか１項に記載の音声出力装置。
【００４６】
〔付記６〕  第１音声を出力する第１音声出力部と、第２音声を出力し、該第１音声出力部とは異なる音声出力特性である第２音声出力部とを用いて音声を出力させる音声出力方法であって、
音源データに基づいて、該第１音声出力部から出力された該第１音声と該第２音声出力部から出力された該第２音声とを合成した合成音声の音圧が特定の音声帯域において略一定となる音声データを生成する音声データ生成ステップと、
該音声データ生成ステップにおいて生成された該音声データを該第１音声出力部および該第２音声出力部から出力させる制御を行なう出力制御ステップとをそなえることを特徴とする、音声出力方法。
【００４７】
〔付記７〕  該出力制御ステップにおいて、該音声データ生成ステップにおいて生成された該音声データを該第１音声出力部および該第２音声出力部から同時に出力させる制御を行なうことを特徴とする、付記６に記載の音声出力方法。
〔付記８〕  該特定の音声帯域が、人の音声帯域であることを特徴とする、付記６または付記７に記載の音声出力方法。
【００４８】
〔付記９〕  該音声データ生成ステップにおいて、該音源データに対してソフトウェアを用いたフィルタリング処理を行なって該音声データを生成することを特徴とする、付記６〜８のいずれか１項に記載の音声出力方法。
〔付記１０〕  該第１音声出力部は、音圧が略一定となる音声出力特性をそなえたレシーバとして構成され、
該第２音声出力部は、該第１音声よりも大きい音圧である音声出力特性をそなえたスピーカとして構成されることを特徴とする、付記６〜９のいずれか１項に記載の音声出力方法。
【００４９】
〔付記１１〕  第１音声を出力する第１音声出力部と、第２音声を出力し、該第１音声出力部とは異なる音声出力特性である第２音声出力部とをそなえた音声出力装置に搭載可能な電子部品であって、
音源データに基づいて、該第１音声出力部から出力された該第１音声と該第２音声出力部から出力された該第２音声とを合成した合成音声の音圧が特定の音声帯域において略一定となる音声データを生成する音声データ生成部と、
該音声データ生成部で生成された該音声データを該第１音声出力部および該第２音声出力部から出力させる制御を行なう出力制御部とをそなえることを特徴とする、電子部品。
【００５０】
〔付記１２〕  該出力制御部は、該音声データ生成部で生成された該音声データを該第１音声出力部および該第２音声出力部から同時に出力させる制御を行なうことを特徴とする、付記１１に記載の電子部品。
〔付記１３〕  該特定の音声帯域が、人の音声帯域であることを特徴とする、付記１１または付記１２に記載の電子部品。
【００５１】
〔付記１４〕  該音声データ生成部は、該音源データに対してソフトウェアを用いたフィルタリング処理を行なって該音声データを生成するデジタルフィルタとして構成されることを特徴とする、付記１１〜１３のいずれか１項に記載の電子部品。
【図面の簡単な説明】
【００５２】
【図１】本発明の一実施形態としての携帯端末の構成例を模式的に示す図である。
【図２】本発明の一実施形態としての携帯端末におけるデジタルフィルタで生成された音声データの音声出力特性を説明するための図である。
【図３】本発明の一実施形態としての携帯端末において受話データを合成音声として出力する手法の一例を説明するための図である。
【符号の説明】
【００５３】
１０  携帯端末（音声出力装置）
１１  レシーバ（第１音声出力部）
１２  スピーカ（第２音声出力部）
１３  Ｄ／Ａ変換器
１５  ＣＰＵ
１６  メモリ
１７  デジタルフィルタ（音声データ生成部）
１８  出力制御部
１９  音声データ生成プログラム
２０  使用者
Ｄ１  受話データ（音源データ）
Ｄ２  音声データ
Ａ１  音声信号
Ｓ１  第１音声
Ｓ２  第２音声
Ｓ３  合成音声
【図１】
0005286776.tif 000003
【図２】
0005286776.tif 000004
【図３】
0005286776.tif 000005